(57)【要約】      （修正有）【課題】従来のパッチパネルは、工業規格に定められたキーストンジャック型のモジュラジャックを収納することができなかった。【解決手段】ここに開示したものはパッチパネルである。このパッチパネルは、フレームと、フレームに取付可能なフェースプレートと、フェースプレートの背面側からフェースプレートに取付可能な少なくとも１個のキーストンジャック型のモジュラジャックとを備えている。フレームは、上側フランジと下側フランジとを備えており、フレームには複数の開口が形成されている。フェースプレートは、フレームの上側フランジと下側フランジとの間に取付可能であり、フェースプレートには複数の収容開口が形成されている。パッチパネルの組付方法を併せて開示した。【選択図】図１６
2005050786.tif 000002
【特許請求の範囲】
【請求項１】
パッチパネルにおいて、
フレームと、該フレームに取付可能なフェースプレートと、該フェースプレートに取付可能な少なくとも１個のキーストンジャック型のモジュラジャックとを備え、
前記フレームは、上側フランジと下側フランジとを備えており、前記フレームには複数の開口が形成されており、
前記フェースプレートは、前記フレームの前記上側フランジと前記下側フランジとの間に取付可能であり、前記フェースプレートには複数の収容開口が形成されており、
前記モジュラジャックは、前記フェースプレートの背面側から前記フェースプレートに取付可能である、
ことを特徴とするパッチパネル。
【請求項２】
前記フレームに６個の前記フェースプレートが取付可能である請求項１記載のパッチパネル。
【請求項３】
前記フレームの前記上側フランジの後端縁に少なくとも１つの面取部が形成されている請求項１記載のパッチパネル。
【請求項４】
前記フレームの前記上側フランジに複数の第１開口が形成されており、前記フレームの前記下側フランジに複数の第２開口が形成されている請求項１記載のパッチパネル。
【請求項５】
前記複数の第１開口のうちの少なくとも１つに、前記フェースプレートに形成された少なくとも１つのスナップ嵌合式の第１係止突起が嵌合し、前記複数の第２開口のうちの少なくとも１つに、前記フェースプレートに形成された少なくとも１つのスナップ嵌合式の第２係止突起が嵌合する請求項４記載のパッチパネル。
【請求項６】
前記複数の第１開口のうちの少なくとも１つに、前記フェースプレートに形成された少なくとも１つの第１係止バーが嵌合し、前記複数の第２開口のうちの少なくとも１つに、前記フェースプレートに形成された少なくとも１つの第２係止バーが嵌合する請求項４記載のパッチパネル。
【請求項７】
前記フレームが、該フレームの第１端から該フレームの第２端までに亘って水平方向に延在する中央バーを備えている請求項１記載のパッチパネル。
【請求項８】
前記フレームが、各々のモジュラジャック装着位置の上部中央に付設された表示記号を備えている請求項１記載のパッチパネル。
【請求項９】
前記フレームの第１端に複数の第１取付開口が形成され、前記フレームの第２端に複数の第２取付開口が形成されている請求項１記載のパッチパネル。
【請求項１０】
前記フェースプレートが前記フレームに取外し可能に取付けられる請求項１記載のパッチパネル。
【請求項１１】
前記フェースプレートが前記フレームの背面側に取付けられる請求項１記載のパッチパネル。
【請求項１２】
前記フェースプレートが、前面部と、少なくとも１つのスナップ嵌合式の上側係止突起と、少なくとも１つのスナップ嵌合式の下側係止突起とを備えている請求項１記載のパッチパネル。
【請求項１３】
前記フェースプレートが、少なくとも１本の中間係止バーを更に備えている請求項１２記載のパッチパネル。
【請求項１４】
前記中間係止バーが、前記前面部から後方へ引っ込んだ位置に形成されており、それによって複数の開口が画成されている請求項１３記載のパッチパネル。
【請求項１５】
前記フェースプレートが、前面部と、少なくとも１本の上側係止バーと、少なくとも１本の下側係止バーとを備えている請求項１記載のパッチパネル。
【請求項１６】
前記フェースプレートが、少なくとも１本の中間係止バーを更に備えている請求項１５記載のパッチパネル。
【請求項１７】
前記上側係止バー、前記中間係止バー、及び前記下側係止バーの各々が、前記前面部から後方へ引っ込んだ位置に形成されており、それによって複数の開口が画成されている請求項１６記載のパッチパネル。
【請求項１８】
前記フェースプレートに８個の前記収容開口が形成されている請求項１記載のパッチパネル。
【請求項１９】
前記フェースプレートの前記８個の収容開口が、１列を４個ずつとして、２列の収容開口列を成すように配列されており、それら２列の収容開口列は該フェースプレートの中央延在部によって互いに隔てられている請求項１８記載のパッチパネル。
【請求項２０】
各々のモジュラジャックが前記フェースプレート及び前記フレームに取外し可能に取付けられる請求項１記載のパッチパネル。
【請求項２１】
各々のモジュラジャックが同一の向きで前記フェースプレートに取付けられる請求項１記載のパッチパネル。
【請求項２２】
少なくとも２個のモジュラジャックが上下に並べられて該パッチパネルに取付けられる請求項１記載のパッチパネル。
【請求項２３】
前記モジュラジャックに挿込まれたプラグのラッチ解除レバーの操作方向が上下方向となるような向きで各々のモジュラジャックが前記フェースプレートに取付けられる請求項１記載のパッチパネル。
【請求項２４】
ツイストペア線用モジュラジャック接点が下向きとなるような向きで各々のモジュラジャックが前記フェースプレートに取付けられる請求項１記載のパッチパネル。
【請求項２５】
１つのラックユニットに４８個のキーストンジャック型のモジュラジャックが装備される請求項１記載のパッチパネル。
【請求項２６】
パッチパネルにおいて、
フレームと、該フレームに取付可能なフェースプレートと、該フェースプレートに取付可能な少なくとも１個のキーストンジャック型のモジュラジャックとを備え、
前記フレームには複数の開口が形成されており、
前記フェースプレートは、前記フレームの背面側に取付可能であり、前記フェースプレートには複数の収容開口が形成されており、
前記モジュラジャックは、前記フェースプレートの背面側から前記フェースプレートに取付可能である、
ことを特徴とするパッチパネル。
【請求項２７】
パッチパネルにおいて、
フレームと、該フレームに取付可能なフェースプレートと、該フェースプレートに取付可能な少なくとも１個のキーストンジャック型のモジュラジャックとを備え、
前記フレームは、逆Ｖ字形に外方へ傾斜した２つのパネル部を備えている、
ことを特徴とするパッチパネル。
【請求項２８】
パッチパネルの組付方法において、
上側フランジと下側フランジとを備え、複数の開口が形成されたフレームを用意し、
複数の収容開口が形成されたフェースプレートを、前記上側フランジと前記下側フランジとの間に取付け、
少なくとも１個のキーストンジャック型のモジュラジャックを、前記フェースプレートの背面側から前記フェースプレートに取付ける、
ことを特徴とするパッチパネルの組付方法。
【請求項２９】
更に前記パッチパネルをネットワークラックに取付ける請求項２８記載のパッチパネルの組付方法。
【請求項３０】
パッチパネルの組付方法において、
複数の開口が形成されたフレームを用意し、
複数の収容開口が形成されたフェースプレートを、前記フレームの背面側に取付け、
少なくとも１個のキーストンジャック型のモジュラジャックを、前記フェースプレートの背面側から前記フェースプレートに取付ける、
ことを特徴とするパッチパネルの組付方法。
【発明の詳細な説明】
【技術分野】
【０００１】
本発明はパッチパネルに関し、より詳しくは、１つのEIA/TIA規格のラックユニットに合計４８個のキーストンジャック型のモジュラジャックを収容することのできる、高密集度のパッチパネルに関する。
【０００２】
本件特許出願は、米国特許仮出願第60/470,262号（出願日：2003年5月14日、発明の名称：High Density Keystone Jack Patch Panel）、並びに、米国特許仮出願第60/486,682号（出願日：2003年7月11日、発明の名称：High Density Keystone Jack Patch Panel）に基づく優先権を主張するものであり、それら米国特許仮出願の開示内容は、この言及をもって本願開示に組込まれたものとする。
【背景技術】
【０００３】
キーストンジャック型のモジュラジャックは、工業規格によって規定されていることからも分かるように、通信の技術分野においては周知のものである。また、１つのラックスペースに複数個のキーストンジャック型のモジュラジャックを収容するための、規格に定められたEIA/TIAラックに取付けて用いるパッチパネルフレームも公知となっている。例えば、Hubbell社の「Premise Wiring UDX Series Jack Panel（商標）」や、Molex社の「1U 48 Port Power Cat 5e Patch Panel（商標）」などは、規格に定められたEIA/TIAラックユニットに取付けることのできるフレームを備えた48ポートのパッチパネルである。
【発明の開示】
【発明が解決しようとする課題】
【０００４】
しかしながら、従来のこの種のデバイスは、工業規格に定められたキーストンジャック型のモジュラジャックを収容することができないか、或いは、モジュラジャックをパッチパネルフレームの背面側に直接取付けることができないかの、いずれかの問題をかかえていた。
【０００５】
パッチパネルの密集度を向上させることを目的としたものとしては、本願の基礎米国特許出願の同時継続出願である、米国特許出願第10/814,877号（出願日：2004年3月31日、発明の名称：High Density Patch Panel）に開示されている発明があり、同米国特許出願の開示内容は、この言及をもってその全体が本願開示に組込まれたものとする。従って、キーストンジャック型のモジュラジャック用のパッチパネルの密集度を高めるための改良が求められている。
【０００６】
先ず、１つのEIA/TIAラックユニットに、４８個の規格に定められたキーストンジャック型のモジュラジャックを収容するための、改良したパッチパネルを提供することが求められている。
【０００７】
また、複数個のキーストンジャック型のモジュラジャックを２列に配列して取付けることにより、少なくとも２個のキーストンジャック型のモジュラジャックを上下に並べてパッチパネルに取付けられるようにした、改良したパッチパネルを提供することが求められている。
【０００８】
また、キーストンジャック型のモジュラジャックに挿込んだプラグのラッチ解除レバーの操作方向が上下方向となるような向きで、キーストンジャック型のモジュラジャックをパッチパネルに取付けられるようにした、改良したパッチパネルを提供することが求められている。
【０００９】
また、キーストンジャック型のツイストペア線用モジュラジャックの接点が下向きとなるような向きでキーストンジャック型のモジュラジャックをパッチパネルに取付けられるようにした、改良したパッチパネルを提供することが求められている。
【課題を解決するための手段】
【００１０】
ここに開示したものはパッチパネルである。このパッチパネルは、フレームと、該フレームに取付可能なフェースプレートと、該フェースプレートの背面側から該フェースプレートに取付可能な少なくとも１個のキーストンジャック型のモジュラジャックとを備えている。前記フレームは、上側フランジと下側フランジとを備えており、前記フレームには複数の開口が形成されている。前記フェースプレートは、前記フレームの前記上側フランジと前記下側フランジとの間に取付可能であり、前記フェースプレートには複数の収容開口が形成されている。
【００１１】
前記フレームは、逆Ｖ字形に外方へ傾斜した２つのパネル部を備えたものとすることが好ましく、また、６個の前記フェースプレートを装着できるものとすることが好ましい。前記フレームの前記上側フランジは、前記フェースプレートに形成された少なくとも１つの第１係止突起が嵌合する複数の第１開口を形成したものとすることが好ましい。また同様に、前記フレームの前記下側フランジは、前記フェースプレートに形成された少なくとも１つの第２係止突起が嵌合する複数の第２開口を形成したものとすることが好ましい。
【００１２】
前記フレームは、該フレームの第１端から該フレームの第２端までに亘って水平方向に延在する中央バーを備えたものとすることが好ましく、また、該フレームの第１端に複数の第１取付開口を形成し、該フレームの第２端に複数の第２取付開口を形成したものとすることが好ましい。更に、前記フレームは、各々のモジュラジャック装着位置の上部中央に付設された表示記号を備えたものとすることが好ましい。
【００１３】
前記フェースプレートは、前記フレームの背面側に取付可能なものとすることが好ましい。また、前記フェースプレートは、前面部と、少なくとも１つの上側係止部と、少なくとも１つの中間係止部と、少なくとも１つの下側係止部とを備えたものとすることが好ましい。また、前記上側係止部、前記中間係止部、及び前記下側係止部が、前記前面部から後方へ引っ込んだ位置に形成され、それによって複数の開口が画成されているようにすることが好ましい。
【００１４】
前記フェースプレートは、８個の前記収容開口を形成したものとすることが好ましい。また、前記フェースプレートの前記８個の収容開口が、１列を４個ずつとして、２列の収容開口列を成すように配列されており、それら２列の収容開口列は該フェースプレートの中央延在部によって互いに隔てられているようにすることが好ましい。更に、各々のモジュラジャックが同一の向きで前記フェースプレートに取付けられるようにし、また、少なくとも２個のモジュラジャックが上下に並べて該パッチパネルに取付けられるようにすることが好ましい。
【００１５】
前記パッチパネルは、１つのラックユニットに４８個のキーストンジャック型のモジュラジャックを装備できるものとすることが好ましい。
【発明を実施するための最良の形態】
【００１６】
図面に示した本発明の実施の形態は、各々が８個ずつのジャック装着部を備えたフェースプレートを６個用いて、１つのラックユニットの合計ポート数を４８個とした、高密集度のパッチパネルである。１つのラックユニットの高さ寸法は、EIA/TIA規格によって1.75インチ（44.45ｍｍ）に定められている。図１〜図１９には、パッチパネル４０を示し、また、図２０〜図３３には、また別のパッチパネル１４０を示した。
【００１７】
図１は、高密集度のパッチパネル４０の完成状態を示した図である。パッチパネル４０は、フレーム４２（図２〜図４）と、複数のフェースプレート４４（図５〜図８）と、複数のキーストンジャック型のモジュラジャック４６（図９〜図１２）とを備えている。フレーム４２は金属製とし、また、フェースプレート４４はプラスチック製とすることが好ましい。ただし、それら材料ばかりでなく、フレーム４２も、またフェースプレート４４も、様々な材料で製作することができる。
【００１８】
図１〜図３に示したように、パッチパネル４０は６個のフェースプレート４４を備えており、各々のフェースプレート４４は８個ずつのモジュラジャック装着位置を有する。ただし、パッチパネル４０に装備するフェースプレートの個数は任意の個数とすることができ、そのフェースプレートのモジュラジャック装着位置の個数も任意の個数とすることができる。例えば、パッチパネル４０を、各々が１２個のモジュラジャック装着位置を有するフェースプレートを４個装備したものとすることも可能であり、また、各々が４個のモジュラジャック装着位置を有するフェースプレートを１２個装備したものとすることも可能である。
【００１９】
図２〜図４は、フレーム４２を示した図である。これらの図に示したフレーム４２は直立形であるが、このフレーム４２を傾斜形のものとしてもよく、その場合には、例えば、米国特許出願第09/916,923号（発明の名称：Angled Patch Panel with Cable Support Bar for Network Cable Racks）に開示されているような形状とするのもよい。尚、同米国特許出願の開示内容は、この言及をもって本願開示に組込まれたものとする。フレーム４２は、中央バー４８を備えており、この中央バー４８はフレーム４２の全長に亘って水平方向に延在して、フレーム４２に強度を付与している。図２に示したように、フレーム４２は上側フランジ５０を備えており、この上側フランジ５０には複数の長方形の開口５２が形成されている。また、図２及び図４に示したように、フレーム４２は更に下側フランジ５４を備えており、この下側フランジ５４にも同様に複数の長方形の開口５６が形成されている。後に更に詳しく説明するが、それら開口５２、５６は、フレーム４２の背面側にフェースプレート４４をスナップ式で嵌装するために設けられており、そのように嵌装したフェースプレート４４には、更に、モジュラジャック４６をスナップ式で嵌装することができる。
【００２０】
図２及び図３から明らかなように、フレーム４２には、複数のキーストンジャック型のモジュラジャック４６（図９〜図１２）を挿入するための、複数の挿入開口５８が形成されている。また、このフレーム４２に設けられる複数のポートの各々を識別できるようにするために、各々のモジュラジャック装着位置の上部中央に、表示記号６０が付設されている。それら表示記号６０は「１」から「４８」までの数字であり、シルクスクリーン法で印刷したものである。フレーム４２には更に、EIA/TIA規格に定められている「19インチ」ラックにこのフレーム４２を取付けるための、複数の取付開口６２が形成されている。
【００２１】
図５〜図８は、フェースプレート４４を示した図である。図５から明らかなように、フェースプレート４４は上側係止バー６４を備えている。同じく図５から明らかなように、フェースプレート４４には更に下側係止バー６６を備えている。上側係止バー６４を開口５２に嵌合させ、下側係止バー６６を開口５６に嵌合させることによって、フェースプレート４４をフレーム４２にスナップ式で嵌装することができ、こうして嵌装するときの様子を示したのが、図１３〜図１５である。
【００２２】
図５及び図６から明らかなように、フェースプレート４４は、その前面部７０に８個の収容開口６８が形成されており、それら８個の収容開口６８は、１列を４個ずつとして、水平方向に延在する２列の収容開口列を成すように配列されている。また、上側収容開口列と下側収容開口列とは中央延在部７２によって互いに隔てられており、同じ列の４個の収容開口は、垂直方向に延在する３つの分離壁部７４によって互いに隔てられている。それら８個の収容開口６８は、その各々に、キーストンジャック型のモジュラジャック４６を１個ずつ収容するものである。フェースプレート４４は、先に述べた上側係止バー６４及び下側係止バー６６に加えて、更に中間係止バー７６を備えている。これら３本の係止バー６４、６６、７６は、フェースプレート４４の前面部７０から後方へ引っ込んだ位置に形成されており、それによって各々の収容開口の上側と下側の両方に、夫々に係合開口７８が画成されている。それら上下の係合開口７８は、キーストンジャック型のモジュラジャックに形成されている上側ラッチ部と下側ラッチ部とが係合する開口であり、これについては後に詳細に説明する。
【００２３】
図９〜図１２に示したのは、規格に定められたキーストンジャック型のモジュラジャック４６であり、このモジュラジャック４６には、規格に定められたキーストンジャック用のラッチ機構を備えている。規格に定められたキーストンジャック型のモジュラジャックは、上側ラッチ部であるラッチ部８０と下側ラッチ部である突条部８４とを備えており、それらが協働することによって、モジュラジャック４６を収容開口の中に係止できるようになっている。ラッチ部８０は、カンチレバー形に形成されて前方へ延出しており、係止面８２を備えている。また、突条部８４は、モジュラジャックのラッチ部８０が形成されている側面とは反対側の側面に、傾斜面を備えた形状に形成されており、係止面８６を備えている。そして、図１９に示したように、ラッチ部８０と突条部８４とは、フェースプレート４４の収容開口の各々に形成されている上側の係合開口と下側の係合開口とに係合する。
【００２４】
使用法について説明すると、先ず、図１３〜図１５に示したように、フレーム４２の背面側にフェースプレート４４をスナップ式で嵌装する。６個のフェースプレート４４の全てをフレーム４２に嵌装したならば、続いて、嵌装したそれらフェースプレートの背面側からそれらフェースプレートに複数のキーストンジャック型のモジュラジャック４６を嵌装する。図１６〜図１８に示したのは、キーストンジャック型のモジュラジャック４６をフェースプレート４４に嵌装する前の状態である。一方、図１９に示したのは、モジュラジャック４６をフェースプレート４４に嵌装した後の状態である。この状態では、カンチレバー形のラッチ部８０は、上側の係合開口７８にスナップ式で嵌合しており、その係止面８２が上側係止バー６４の前端縁に当接している。また、突条部８４は、中間の係合開口７８にスナップ式で嵌合しており、その係止面８６が中間係止バー７６の前端縁に当接している。
【００２５】
図２０〜図３３は、第２の実施の形態に係る高密集度のパッチパネルを、そのパッチパネルに嵌装して収容された、複数のキーストンジャック型のモジュラジャックと共に示した図である。図２０は、高密集度のパッチパネル１４０の完成状態を示した図である。パッチパネル１４０は、フレーム１４２（図２１〜図２３）と、複数のフェースプレート１４４（図２４〜図２７）と、複数のキーストンジャック型のモジュラジャック４６（図９〜図１２）とを備えている。フレーム１４２は金属製とし、また、フェースプレート１４４はプラスチック製とすることが好ましい。ただし、それら材料ばかりでなく、フレーム１４２も、またフェースプレート１４４も、様々な材料で製作することができる。
【００２６】
図２０〜図２２に示したように、パッチパネル１４０は６個のフェースプレート１４４を備えており、各々のフェースプレート１４４は８個ずつのモジュラジャック装着位置を有する。ただし、パッチパネル１４０に装備するフェースプレートの個数は任意の個数とすることができ、そのフェースプレートに設けるモジュラジャック装着位置の個数も任意の個数とすることができる。例えば、パッチパネル１４０を、各々が１２個のモジュラジャック装着位置を有するフェースプレートを４個装備したものとすることも可能であり、また、各々が４個のモジュラジャック装着位置を有するフェースプレートを１２個装備したものとすることも可能である。
【００２７】
図２１〜図２３は、フレーム１４２を示した図である。これらの図に示したフレーム１４２は直立形であるが、このフレーム１４２を傾斜形のものとしてもよく、その場合には例えば、米国特許出願第09/916,923号（発明の名称：Angled Patch Panel with Cable Support Bar for Network Cable Racks）に開示されているような形状とするのもよい。尚、同米国特許出願の開示内容は、この言及をもって本願開示に組込まれたものとする。フレーム１４２は中央バー１４８を備えており、この中央バー１４８はフレーム１４２の全長に亘って水平方向に延在して、フレーム１４２に強度を付与している。図２１に示したように、フレーム１４２は上側フランジ１５０を備えており、この上側フランジ１５０には複数の長方形の開口１５２が形成されている。また、図２１及び図２３に示したように、フレーム１４２は更に下側フランジ１５４を備えており、この下側フランジ１５４にも同様に複数の長方形の開口１５６が形成されている。後に更に詳しく説明するが、それら開口１５２、１５６は、フレーム１４２の背面側にフェースプレート１４４をスナップ式で嵌装するために設けられており、そのように嵌装したフェースプレート１４４には、更に、モジュラジャック４６をスナップ式で嵌装することができる。また更に、図２８、図２９、及び図３３に示したように、上側フランジ１５０の後端縁に面取部１５７を形成するようにしてもよく、この面取部１５７は、そこにネジ回しなどの工具の先端を挿入することで、フェースプレート１４４をフレーム１４２から容易に取外せるようにするためのものである。
【００２８】
図２１及び図２２から明らかなように、フレーム１４２には、複数のキーストンジャック型のモジュラジャック４６（図９〜図１２）を挿入するための、複数の挿入開口１５８が形成されている。また、このフレーム１４２に設けられる複数のポートの各々を識別できるようにするために、各々のモジュラジャック装着位置の上部中央に、表示記号６０が付設されている。それら表示記号６０は「１」から「４８」までの数字であり、シルクスクリーン法で印刷したものである。フレーム１４２には更に、EIA/TIA規格に定められている「19インチ」ラックにこのフレーム１４２を取付けるための、複数の取付開口１６２が形成されている。
【００２９】
図２４〜図２７は、フェースプレート１４４を示した図である。図２４から明らかなように、フェースプレート１４４には、スナップ嵌合式の複数の上側係止突起１６４が形成されている。同じく図２４から明らかなように、フェースプレート１４４には更に、スナップ嵌合式の複数の下側係止突起１６６が形成されている。複数の上側係止突起１６４の間には複数の上側開口が形成され、複数の下側係止突起１６６の間には複数の下側開口が形成されている。上側係止突起１６４を開口１５２に嵌合させ、下側係止突起１６６を開口１５６に嵌合させることによって、フェースプレート１４４をフレーム１４２にスナップ式で嵌装することができ、こうして嵌装するときの様子を示したのが、図２８及び図２９である。
【００３０】
図２４及び図２５から明らかなように、フェースプレート１４４は、その前面部１７０に８個の収容開口１８６が形成されており、それら８個の収容開口１６８は、１列を４個ずつとして、水平方向に延在する２列の収容開口列を成すように配列されている。また、上側収容開口列と下側収容開口列とは中央延在部１７２によって互いに隔てられており、同じ列の４個の収容開口は、垂直方向に延在する３つの分離壁部１７４によって互いに隔てられている。それら８個の収容開口１６８は、その各々に、キーストンジャック型のモジュラジャック４６を１個ずつ収容するものである。フェースプレート１４４は、中間係止バー１７６を備えている。中間係止バー１７６は、フェースプレート４４の前面部１７０から後方へ引っ込んだ位置に形成されており、それによって複数の係合開口１７８が画成されている。それら係合開口１７８は、キーストンジャック型のモジュラジャックに形成されている上側ラッチ部と下側ラッチ部とが係合する開口であり、これについては後に詳細に説明する。
【００３１】
使用法について説明すると、先ず、図２８及び図２９に示したように、フレーム１４２の背面側にフェースプレート１４４をスナップ式で嵌装する。６個のフェースプレート１４４の全てをフレーム１４２に嵌装したならば、続いて、嵌装したそれらフェースプレートの背面側からそれらフェースプレートに複数のキーストンジャック型のモジュラジャック４６を嵌装する。図３０〜図３２に示したのは、キーストンジャック型のモジュラジャック４６をフェースプレート１４４に嵌装する前の状態である。一方、図３３に示したのは、モジュラジャック４６をフェースプレート１４４に嵌装した後の状態である。図３３から明らかなように、この状態では、カンチレバー形のラッチ部８０は、上側の係合開口７８にスナップ式で嵌合しており、その係止面８２が上側フランジ１５０の前端縁に当接している。また、突条部８４は、係合開口１７８にスナップ式で嵌合しており、その係止面８６が中間係止バー１７６の前端縁に当接している。
【００３２】
以上に開示したように、本発明は、複数のキーストンジャック型のモジュラジャックを収容する高密集度のパッチパネルを提供するものである。ただし、図面に示して以上に説明した本発明の実施の形態は、本発明に係るパッチパネルが取り得る形態の全てを網羅したものではなく、それら実施の形態はあくまでも、現時点で提示することのできる本発明の具体的な形態を例示したにすぎない。例えば、フェースプレートに設ける係止部は、その側壁に設けることも考えられ、そのようなものも本発明の範囲に含まれる。更に、本発明の実施の形態は多数存在するものと考えられる。
【図面の簡単な説明】
【００３３】
【図１】本発明に係るパッチパネルを正面右上方から見た斜視図である。
【図２】図１のパッチパネルのフレームを正面右上方から見た斜視図である。
【図３】図２のフレームの正面図である。
【図４】図２のフレームの底面図である。
【図５】図１のパッチパネルの複数のフェースプレートのうちの１つを正面右上方から見た斜視図である。
【図６】図５のフェースプレートの正面図である。
【図７】図５のフェースプレートの右側面図である。
【図８】図５のフェースプレートの平面図である。
【図９】図１のパッチパネルの複数のキーストンジャック型のモジュラジャックのうちの１つを正面右上方から見た斜視図である。
【図１０】図９のキーストンジャック型のモジュラジャックの平面図である。
【図１１】図９のキーストンジャック型のモジュラジャックの正面図である。
【図１２】図９のキーストンジャック型のモジュラジャックの右側面図である。
【図１３】図１のパッチパネルを正面右上方から見た部分分解斜視図であり、パッチパネルのフレームの背面側にフェースプレート装着しようとしているところを示した図である。
【図１４】フェースプレートの右側面図であり、パッチパネルのフレームにフェースプレートを装着しようとしているところを示した図である。
【図１５】フェースプレートの右側面図であり、パッチパネルのフレームにフェースプレートを装着した状態を示した図である。
【図１６】フェースプレートにキーストンジャック型のモジュラジャックを装着しようとしているところを示した正面右上方から見た分解斜視図である。
【図１７】フェースプレートに２個のキーストンジャック型のモジュラジャックを装着しようとしているところを示した右側面図である。
【図１８】フェースプレートに２個のキーストンジャック型のモジュラジャックを装着しようとしているところを示したフェースプレートの右側面断面図である。
【図１９】パッチパネルのフレームにフェースプレートを装着し、そのフェースプレートに２個のキーストンジャック型のモジュラジャックを装着した状態を示したフェースプレートの右側面断面図である。
【図２０】本発明の第２の実施の形態に係るパッチパネルを正面右上方から見た斜視図である。
【図２１】図２０のパッチパネルのフレームを正面右上方から見た斜視図である。
【図２２】図２１のフレームの正面図である。
【図２３】図２１のフレームの底面図である。
【図２４】図２０のパッチパネルの複数のフェースプレートのうちの１つを正面右上方から見た斜視図である。
【図２５】図２４のフェースプレートの正面図である。
【図２６】図２４のフェースプレートの右側面図である。
【図２７】図２４のフェースプレートの平面図である。
【図２８】図２４のフェースプレートの右側面図であり、図２１のパッチパネルのフレームにフェースプレートを装着しようとしているところを示した図である。
【図２９】図２４のフェースプレートの右側面図であり、図２１のパッチパネルのフレームにフェースプレートを装着した状態を示した図である。
【図３０】フェースプレートにキーストンジャック型のモジュラジャックを装着しようとしているところを示した正面右上方から見た分解斜視図である。
【図３１】フェースプレートに２個のキーストンジャック型のモジュラジャックを装着しようとしているところを示した右側面図である。
【図３２】図２４のフェースプレートに２個のキーストンジャック型のモジュラジャックを装着しようとしているところを示したフェースプレートの右側面断面図である。
【図３３】パッチパネルのフレームにフェースプレートを装着し、そのフェースプレートに２個のキーストンジャック型のモジュラジャックを装着した状態を示したフェースプレートの右側面断面図である。
【図１】
2005050786.tif 000003
【図２】
2005050786.tif 000004
【図３】
2005050786.tif 000005
【図４】
2005050786.tif 000006
【図５】
2005050786.tif 000007
【図６】
2005050786.tif 000008
【図７】
2005050786.tif 000009
【図８】
2005050786.tif 000010
【図９】
2005050786.tif 000011
【図１０】
2005050786.tif 000012
【図１１】
2005050786.tif 000013
【図１２】
2005050786.tif 000014
【図１３】
2005050786.tif 000015
【図１４】
2005050786.tif 000016
【図１５】
2005050786.tif 000017
【図１６】
2005050786.tif 000018
【図１７】
2005050786.tif 000019
【図１８】
2005050786.tif 000020
【図１９】
2005050786.tif 000021
【図２０】
2005050786.tif 000022
【図２１】
2005050786.tif 000023
【図２２】
2005050786.tif 000024
【図２３】
2005050786.tif 000025
【図２４】
2005050786.tif 000026
【図２５】
2005050786.tif 000027
【図２６】
2005050786.tif 000028
【図２７】
2005050786.tif 000029
【図２８】
2005050786.tif 000030
【図２９】
2005050786.tif 000031
【図３０】
2005050786.tif 000032
【図３１】
2005050786.tif 000033
【図３２】
2005050786.tif 000034
【図３３】
2005050786.tif 000035
【外国語明細書】
2005050786000001.pdf